(57)【要約】【課題】生命保険の必要保障額、控除額を計算し、被保険者に合った生命保険の必要保険金額を決定して、保険契約者、保険料支払い者、被保険者、保険金受取人に対して不利益とならないようにする方法を提供する。【解決手段】パソコンの入力画面へ被保険者の検索条件を入力すると必要保障額から控除額が計算され、被保険者の生命保険の必要保険金額が求められる。必要保険金額が被保険者に合っているか検索条件から計算された必要保障額、控除額、必要保険金額を各項目、経費項目ごとにチェックし被保険者に合わない金額があれば、その各項目、経費項目の金額を修正し再計算して被保険者に合った必要保障額、控除額、必要保険金額を求めるようにしているので、生命保険の必要保険金額の過不足などによる保険契約者、保険料支払い者、被保険者、保険金受取人に対して不利益とならないようにすることができる。【選択図】図８
2007102740.tif 000002
【特許請求の範囲】
【請求項１】
被保険者の検索条件に基づき、必要保障額（以下、被保険者が亡くなった後の生活費、居住費、子供の教育費などのこと）と控除額（以下、被保険者が亡くなった後の遺族年金、死亡退職金、金融資産などのこと）を分類し、被保険者の検索条件から求めた必要保険金額（以下、被保険者が亡くなった後の遺族年金、死亡退職金、金融資産など遺族の収入から生活費、居住費、子供の教育費などの支出を差引いた金額のこと）が被保険者の必要保険金額として合っているか分類した項目と被保険者が亡くなった後の残された遺族（以下、家族や妻など）の生活費の内容を見直して被保険者に合った必要保険金額を求めるために、予め、処理できるプログラムが用意されているパソコンを使用し、被保険者の検索条件を入力させるフォーマットを表示装置に表示させ、表示されたフォーマットに従って入力されたデータに基づいて、必要保障額と控除額を計算し必要保険金額を求める演算手段と表示させる表示装置、上記、入力手段より入力されたデータに基づき、支出項目の残された家族の生活費と子供が独立後の妻の生活費を経費項目ごとに求める演算手段と表示させる表示装置、上記から求めた、残された家族の生活費、子供が独立後の妻の生活費を見直して修正する金額を入力させるフォーマットを表示装置に表示させ、表示されたフォーマットに従って入力されたデータに基づいて必要保障額と控除額を計算し被保険者に合った必要保険金額を求める演算手段と表示させる表示装置とがあり、検索条件に基づいて求められた被保険者の必要保障額、控除額、必要保険金額を残された遺族の生活費に合った必要保障額、控除額、必要保険金額に見直し修正して被保険者に合った生命保険の必要保険金額として求めることを特徴とする必要保険金額決定方法。
【請求項２】
請求項１の記載方法において、１台のパソコンに具備した処理装置を使用することで被保険者の個人情報を他人に提供することなく、短時間（被保険者の検索条件を事前に準備してパソコン操作に慣れている者であれば５分程度）で被保険者に合った生命保険の必要保険金額として求めることができることを特徴とする必要保険金額決定方法。
【発明の詳細な説明】
【技術分野】
【０００１】  本発明は、生命保険の必要保険金額を決定するための方法に関する。
【背景技術】
【０００２】  近年、保険に関する相談を考えている人が多く、テレビや広告、チラシ等を見て電話やハガキ等で各保険会社の資料を取り寄せて自由に商品選択も出来るようになった。特に医療保険は必要な保障額、保障期間、保険期間、その必要性等、統計を入れて説明されているものもあるので一般に分かり易くなってきた。しかし、生命保険の必要保険金額（以下、被保険者が亡くなった後の遺族年金、死亡退職金、金融資産など遺族の収入から生活費、居住費、子供の教育費などの支出を差引いた金額のこと）はその計算式が複雑で被保険者の家族構成、職業、収入等、個々人の条件によっても異なるので生命保険の必要保険金額を知るためには保険会社の担当者や保険の相談を受ける専門のライフプランナー、ファイナンシャルプランナー等に被保険者の情報を提供し相談しなければならないのが実状である。【０００３】  今時は、提供された情報を基本に可能な限り相談者（以下、被保険者やその家族などのこと）の希望を組み入れながらライフプランを想定し、将来の収入と将来の必要経費等から個々人の年ごとの収支つりあいをとって計算し被保険者の生命保険の必要保険金額として相談者に配慮がなされて提示されるようになってきた。しかしながら、個人情報を他人に知られたくない者はもちろんのこと、煩わしさや、生命保険の必要保険金額を求める方法にも問題があった。
【発明の開示】
【発明が解決しようとする課題】
【０００４】  そこで、本発明は、このような事情から、相談者が個人情報を他人に提供することなく、被保険者の検索条件から被保険者に合った生命保険の必要保険金額を短時間（被保険者の検索条件を事前に準備してパソコン操作に慣れている者であれば５分程度）で決定し保険契約者、保険料支払い者、被保険者、保険金受取人に対して不利益とならないようにするための方法を提供する。
【課題を解決するための手段】
【０００５】  上記目的を達成するために、本発明は被保険者の検索条件に基づき、必要保障額（以下、被保険者が亡くなった後の生活費、居住費、子供の教育費などのこと）と控除額（以下、被保険者が亡くなった後の遺族年金、死亡退職金、金融資産などのこと）を分類し、被保険者の検索条件から求めた必要保険金額が被保険者の必要保険金額として合っているか分類した項目と被保険者が亡くなった後の残された遺族（以下、家族や妻など）の生活費の内容を見直して被保険者に合った必要保険金額を求めるために、予め、処理できるプログラムが用意されているパソコンを使用し、被保険者の検索条件を入力させるフォーマットを表示装置に表示させ、表示されたフォーマットに従って入力されたデータに基づいて、必要保障額と控除額を計算し必要保険金額を求める演算手段と表示させる表示装置、上記、入力手段より入力されたデータに基づき、支出項目の残された家族の生活費と子供が独立後の妻の生活費を経費項目ごとに求める演算手段と表示させる表示装置、上記から求めた、残された家族の生活費、子供が独立後の妻の生活費を見直して修正する金額を入力させるフォーマットを表示装置に表示させ、表示されたフォーマットに従って入力されたデータに基づいて必要保障額と控除額を計算し被保険者に合った必要保険金額を求める演算手段と表示させる表示装置とがあり、検索条件に基づいて求められた被保険者の必要保障額、控除額、必要保険金額を残された遺族の生活費に合った必要保障額、控除額、必要保険金額に見直し修正して被保険者に合った生命保険の必要保険金額として求めることを特徴とする必要保険金額決定方法である。【０００６】  そして、請求項１の記載方法において、１台のパソコンに具備した処理装置を使用することで被保険者の個人情報を他人に提供することなく、短時間（被保険者の検索条件を事前に準備してパソコン操作に慣れている者であれば５分程度）で被保険者に合った生命保険の必要保険金額をして求めることができることを特徴とする必要保険金額決定方法である。
【発明の効果】
【０００７】  本発明は、相談者が被保険者の生命保険の必要保険金額を求めるために保険会社の担当者や保険の相談を受ける専門のライフプランナー、ファイナンシャルプランナーなどに対して被保険者の情報提供の必要がないので個人情報漏えいリスクの防止と、また、来店型保険ショップなどの施設に操作手順書等とパソコンを設置して来店者がいつでも自由に使用できるようにしたりする事で従来の保険に対する煩わしさから解放され、しかも、相談者が被保険者に合った必要保険金額を短時間（被保険者の検索条件を事前に準備してパソコン操作に慣れている者であれば５分程度）で求められるようになっているので保険契約者、保険料支払い者、被保険者、保険金受取人に対して不利益がないようにするという効果が得られる。
【発明を実施するための最良の形態】
【０００８】  以下、本発明の実施の形態を図面を参照しつつ説明する。【０００９】  図１は本発明の必要保険金額を求める検索条件入力図である。検索条件を入力させるフォーマットを表示装置に表示させ表示されたフォーマットに従って入力すると、入力されたデータに基づいて被保険者の必要保障額、控除額、必要保険金額が演算手段によって計算され、その求められた計算結果が表示装置に表示される。【００１０】  前記の手順で表示装置に表示されたのが図２の検索条件入力後の必要保険金額が求められた図である。図１のように検索条件を入力すると、必要保障額、控除額、必要保険金額が演算手段によって計算され表示装置に見直し出来るように各項目ごとに分類して表示されるが、ここでは、被保険者の検索条件を入力したデータ基づいて、ライフプランを想定し将来の収入と将来の必要経費等から個々人の年ごとの収支つりあいをとって計算し被保険者の必要保険金額を求めているだけなので実際に被保険者に合っているか確認はできない。【００１１】  図３は残された家族の生活費見直し図ある。図１のように検索条件を入力すると演算手段によって経費項目ごとに金額が計算され振り分けされて表示装置に表示する。現在の日常生活費、残された家族の生活費、生活費の差額が比較できるようになっていて経費項目ごとに金額が振り分けされて表示するようになっているので、相談者が内容をチェックし被保険者が亡くなった後の残された家族の生活費として合わない金額があれば、残された家族の生活費を見直して修正する金額を入力させるフォーマットを表示装置に表示させ表示されたフォーマットに従って入力、経費項目ごとに見直しながら金額の修正ができるようになっている、ことを特徴とした。【００１２】  前記で金額を入力し演算手段によって計算され表示装置に表示されたのが図４の残された家族の生活費を見直し金額の修正をした図である。たとえば、相談者が図３で内容のチェックをして見たら被保険者が亡くなった後に残された家族は図４のように基本生活費をもう少し節約できると判断し見直し欄で金額の修正をした。また、自動車関連では子供が独立するまでの間、乗用車が必要と判断したので、ここでも見直し欄で金額の修正をした。それぞれ該当する経費項目の見直し欄で修正する金額を入力すると現在の日常生活費に対する残された家族の生活費の割合が変わってくる。このように被保険者に合った必要保険金額を求めるため表示装置で表示した残された家族の生活費を経費項目ごとに内容をチェックし見直しながら入力フォーマットで金額の修正ができるようになっている。【００１３】  図５は子供が独立後の妻の生活費見直し図である。図１のように検索条件を入力すると演算手段によって経費項目ごとに金額が計算され振り分けされて表示装置に表示する。子供が独立後の妻の生活費も経費項目ごとに見直しをして金額の修正をすることができるようにもなっている、ことを特徴とする。【００１４】  図５でも表示装置に表示した子供が独立後の妻の生活費を経費項目ごとに内容のチェックをして見たら、子供が独立した後の妻は１人暮らしを考えているので基本生活費を見直し金額の修正をすることにした。子供が独立後の妻の生活費を見直して修正する金���を入力させるフォーマットを表示装置に表示させ表示されたフォーマットに従って見直し修正する金額を入力すると演算手段によって計算され表示装置に表示する。表示装置に表示されたのが図６の子供が独立後の妻の生活費を見直し金額の修正をした図である。【００１５】  相談者が図３、図５で内容をチェックし図４、図６で見直し修正する金額を入力フォーマントで入力をすれば入力した金額に応じて必要保障額、控除額、必要保険金額が演算手段によって再計算される。【００１６】  相談者が他人に被保険者の情報を提供することなく被保険者の検索条件を入力フォーマットで入力し、前記で再計算され被保険者に合った生命保険の必要保険金額として求められ表示装置に表示されたのが図７の相談者が見直して必要保険金額を決定した図である。【００１７】  図８はいままで説明してきた、全体の概要を示した図である。相談者は図８の検索条件の入力手段に図１の項目の入力と、見直しの入力手段に図３、図５の経費項目の内容をチェックし修正する金額を入力する以外は入力した情報を演算手段によって、その数式が計算されるようになっている。演算手段によって計算された必要保険金額は表示装置により表示され、図８の表示装置に表示されているように検索条件の入力手段に図１の項目を入力すると図２の検索条件入力後の必要保険金額が求められた図の内容が表示装置に表示するが、見直しの入力手段で図３、図５の経費項目の内容をチェックし修正する金額の入力後は図７の相談者が見直して必要保険金額を決定した図の内容に入れ替わって表示装置に表示される。【００１８】  以上、本発明の実施形態について説明してきたが、本発明の要旨を逸脱しない範囲内において、本発明の形態に対して種々の変形や変更を施すことができ、例えば、検索条件の手段や見直しの手段など適宜変更、追加することや、１台のパソコンを相談者側と相談を受ける側とで共有したり、ＬＡＮを組んで複数のパソコンと連携したり、インターネットでの検索システムとしても可能とする等の種々の変形や変更が挙げられる。
【図面の簡単な説明】
【００１９】
【図１】本発明の必要保険金額を求める検索条件入力図である。
【図２】検索条件入力後の必要保険金額が求められた図である。
【図３】残された家族の生活費見直し図ある。
【図４】残された家族の生活費を見直し金額の修正をした図である。
【図５】子供が独立後の妻の生活費見直し図である。
【図６】子供が独立後の妻の生活費を見直し金額の修正をした図である。
【図７】相談者が見直して必要保険金額を決定した図である。
【図８】全体の概要を示した図である。
【図１】
2007102740.tif 000003
【図２】
2007102740.tif 000004
【図３】
2007102740.tif 000005
【図４】
2007102740.tif 000006
【図５】
2007102740.tif 000007
【図６】
2007102740.tif 000008
【図７】
2007102740.tif 000009
【図８】
2007102740.tif 000010